(57)【要約】【課題】商品の出所を示すための識別情報を簡単に登録することができ、識別情報の入力間違いを生じることがないラベル発行機を提供する。【解決手段】商品の出所を識別するめの例えば各牛に固有につけられる個体識別番号のような識別情報をバーコードスキャナのような読取手段で読取り（ＳＴ３）、この読取った個体識別番号を個体識別番号テーブルに記憶し（ＳＴ７）、個体識別番号テーブルに記憶される個体識別番号とＰＬＵファイルに記憶される商品情報とを関連付けておく（ＳＴ１３）。【選択図】    図６
2005111850.tif 000002
【特許請求の範囲】
【請求項１】
商品に関する商品情報を記憶する商品情報記憶手段と、その商品情報記憶手段に記憶された商品情報に基づいてラベルを印字発行する印字発行手段とを有するラベル発行機において、
商品の出所を識別するための識別情報を読取る読取手段と、この読取手段で読取った識別情報を記憶する識別情報記憶手段と、前記識別情報と前記商品情報記憶手段に記憶される商品情報とを関連付けて記憶する関連付手段とを具備することを特徴とするラベル発行機。
【請求項２】
商品に関する商品情報を商品番号ごとに記憶する商品情報記憶手段と、ラベルを印字発行するプリンタユニットと、商品番号を入力する入力手段と、前記プリンタユニットで前記入力手段で入力された商品番号に応じて前記商品情報記憶手段から読出した商品情報に基づいてラベルを印字発行する印字発行手段とを有するラベル発行機において、
商品に付されこの商品の出所等の情報を識別するための識別情報を読取る読取手段と、この読取手段で読取った識別情報を記憶する記憶手段と、前記識別情報と前記商品情報記憶手段に記憶した商品情報の一または複数の商品情報とを関連付けて記憶する関連付手段とを具備することを特徴とするラベル発行機。
【請求項３】
商品に関する商品情報を商品番号ごとに記憶する商品情報記憶手段と、ラベルを印字発行するプリンタユニットと、商品番号を入力する入力手段と、前記プリンタユニットで前記入力手段で入力された商品番号に応じて前記商品情報記憶手段から読出した商品情報に基づいてラベルを印字発行する印字発行手段とを有するラベル発行機において、
商品に付されこの商品の出所等の情報を識別するための識別情報を読取る読取手段と、この読取手段で読取った識別情報を記憶する記憶手段と、前記入力手段で入力された商品番号に応じて前記商品情報記憶手段から読出した商品情報と前記読取手段で読取った一または複数の識別情報とを関連付けて記憶する関連付手段とを具備することを特徴とするラベル発行機。
【発明の詳細な説明】
【技術分野】
【０００１】
本発明は、商品の商品名，単価等の商品情報などが印字されたラベルを印字発行するラベル発行機に関する。
【背景技術】
【０００２】
近年、食料品の安全性に対する意識が消費者の間で大変高まっている。そのため食料品の販売時にパッケージ等に貼るラベルにも商品の出所を明確にしようという動きがある。例えば、牛の場合は、流通過程において各個体に対して個体識別番号がバーコード及び数値で示されたシールが付されているため、ラベルにその個体識別番号を示すことにより消費者に出所を示すことが考えられる。このように個体識別番号を印字したラベルをラベル発行機で発行しようとすると、従来は個体識別番号を表示していなかったため、オペレータは操作パネルを操作して個体識別番号を印字するためのエリアを作成し、個体識別番号をキー入力して印字する必要がある。
【０００３】
なお、キー入力をする必要がなく所定の操作が行えるものとしては、負荷された被計量物を計量する計量手段と、その計量手段により計量された計量値と、所定の計数とに基づいて、被計量物の実重量を算出することにより、キー入力する必要なく付着した水分の重量を計算することができる電子秤が知られている（例えば、特許文献１参照）。
【特許文献１】特開平１１−３５１９５５号公報
【発明の開示】
【発明が解決しようとする課題】
【０００４】
しかしながら、商品の出所を示すための識別情報を商品を作成するたびに、その識別情報を印字するエリアを作成し、操作パネルを操作してキー入力する作業は、オペレータにとって大変面倒な作業である。また、識別情報は、多数桁の値により表記されること多いと考えられ（例えば、牛の個体識別番号の場合は、一般には１０桁以上の値である。）、数値を入力する際に入力間違いが生じる可能性もある。  
また、特許文献１に記載されたものでは、異なる識別情報を入力する作業に対しては、キー入力を省くことはできない。
【０００５】
本発明は上記事情に鑑みてなされたものであって、その目的は、商品の出所を示すための識別情報を簡単に登録することができ、識別情報の入力間違いを生じることがないラベル発行機を提供することにある。
【課題を解決するための手段】
【０００６】
本発明は、商品に関する商品情報を例えばＰＬＵ（プライス・ルック・アップ）ファイルに記憶し、その記憶された商品情報に基づいてラベルを印字発行するラベル発行機において、商品の出所を識別するめの例えば各牛に固有につけられる個体識別番号のような識別情報をバーコードスキャナのような読取手段で読取り、この読取った個体識別番号を個体識別番号テーブルに記憶し、個体識別番号テーブルに記憶される個体識別番号とＰＬＵファイルに記憶される商品情報とを関連付けておくものである。
【発明の効果】
【０００７】
本発明によると、商品の出所を示すための識別情報を簡単に登録することができ、識別情報の入力間違いを生じることがないラベル発行機を提供できる。
【発明を実施するための最良の形態】
【０００８】
以下、本発明の一実施の形態について図面を参照して説明する。
【０００９】
図１は、ラベル発行機１の外観を示す斜視図である。ラベル発行機１には、オペレータが商品情報の呼出しなどの各種入力を行うタッチパネルとオペレータに各種情報を表示するＬＣＤ（リキッド・クリスタル・ディスプレイ）などで構成された表示入力部２、電源が投入されていることを発行により報知するＬＥＤ（発行ダイオード）３、数値を入力するための数値キーなどが設けられたキーボード部４、ラベルを発行するラベル発行口５、のせ皿に載置した商品の重量を計量するロードセルユニット６、バーコードからバーコードデータを読取るための読取手段としてのバーコードスキャナ７などが設けられている。
【００１０】
図２はキーボード部４を示す図である。キーボード部４には、各種設定／登録において数値入力をするための「０」〜「９」の数値キー、置数データのクリア又はエラーを解除するための「消」キー４ａ、ラベルを発行するための「発行」キー４ｂ、風袋量を登録およびクリアするための「風袋」キー４ｃ、データを訂正するための「訂正」キー４ｄ、定額品番計量品番の切換えをするための「定額／計量」キー４ｅ、ラベルを送るときに使用する「紙送り」キー４ｆ、表示入力部の表示をＯＮ／ＯＦＦするための「待機」キー４ｇ、パック数を設定又は変更するための「枚数」キー４ｈ、品番を呼出すための「品番」キー４ｉなどが設けられている。オペレータはこの「品番」キー４ｉを入力した後、商品の商品番号を「０」〜「９」の数値キーにより入力する（入力手段）これにより、商品情報を読出すようになっている。
【００１１】
図３は、ラベル発行機１の要部構成を示すハードウェアブロック図である。図３に示すように、制御部本体を構成するＣＰＵ１１、後述する個体識別番号登録処理を実行するプログラムを含む各種プログラムを記憶するフラッシュＲＯＭ１２、後述する識別情報記憶手段としての個体識別番号テーブル１３１及び商品に関する商品情報を商品番号ごとに記憶する商品情報記憶手段としてのＰＬＵ（プライス・ルック・アップ）ファイル１３２などを記憶するＲＡＭ１３、ロードセルユニット６から重量データを取り込むための秤インタフェース１４、上位装置からの各種設定データの送受信を行うためのＥｔｈｅｒｎｅｔインタフェース１５、別体として取り付け可能な第２プリンタ１６と通信を行うための第２プリンタインタフェース１７、キーボード部４及び表示入力部２のタッチパネルからの入力データを取り込むキーコントローラ１８、商品呼出し表示などの表示入力部２の各種設定画面表示及びＬＥＤ３の表示を行う表示コントローラ１９、ラベル発行を行う第１プリンタユニット２０を制御する第１プリンタエンジン２１（印字発行手段）、ラベルを発行する際に使用する透過，反射，温度等の各種センサ２２とデータの受け渡しを行い、バーコードスキャナ７を接続するためのＩ／Ｏポート２３が設けられている。また、ＣＰＵ１１と、フラッシュＲＯＭ１２，ＲＡＭ１３，秤インタフェース１４，Ｅｔｈｅｒｎｅｔインタフェース１５，第２プリンタインタフェース１７，キーコントローラ１８，表示コントローラ１９，第１プリンタエンジン２１，Ｉ／Ｏポート２３とはバスラインによって接続されている。
【００１２】
図４は、ＲＡＭ１３に記憶される個体識別番号テーブル１３１を示す図である。識別情報である個体識別番号は、例えば、各牛（各個体）に固有に付される番号である。すなわち、この個体識別番号は、流通過程において牛を原材料として生産される種々の商品の出所（どこの牧場のどの牛から生産された商品ものであるか）等を識別するための番号である。この個体識別番号テーブルには、テーブル番号に１対１となるように個体識別番号が記憶されるようになっている。
【００１３】
図５は、ＲＡＭ１３に記憶されるＰＬＵファイル１３２を示す図である。ＰＬＵファイル１３２は、商品番号毎に、商品名、単価，テーブル番号割付部１３２ａ、この他にも図示しない印字フォーマットを割付けた番号など商品に関する種々の商品情報を記憶するものである。テーブル番号割付部１３２ａには、複数のテーブル番号を割付けられるようになっている（関連付手段，本実施の形態では、「割付１」〜「割付３」の３つのテーブル番号が割付け可能となっている）。図４及び図５に示すように、商品番号「１」の商品名「牛肉肩」は固有識別番号が「０２２３９８７０４２」である１種の牛から生産されるのでテーブル番号割付部１３２ａの「割付１」のエリアにテーブル番号「３」が１つ割付けられている。商品番号「２」の商品名「合挽きハンバーグ」は固有識別番号が「０１２３７７６３９７」，「０２４５８９４０３８」の２種の牛から生産されるのでテーブル番号割付部１３２ａの「割付１」，「割付２」のエリアに「１」，「１５」がそれぞれ記憶されている。このように、テーブル番号割付部１３２ａは、複数のテーブル番号を割付けるエリアを設けているので、複数種の牛から生産される商品には複数のテーブル番号を割付けることができるようになっている。このように、ＰＬＵファイル１３２に個体識別番号テーブル１３１のテーブル番号を割付けることにより、個体識別番号を直接ファイル内に登録する場合と比較してＰＬＵファイル１３２のファイル容量を小さくすることができる。
【００１４】
次に、オペレータがラベル発行機１を操作して、上述した個体識別番号をＲＡＭ１３に登録する際に、ＣＰＵ１１が実行する個体識別番号登録処理の要部を図６のフローチャートを参照して説明する。
【００１５】
ＣＰＵ１１は、「品番」キー４ｉの入力データを受け取ると、品番呼出しの表示を表示入力部２に行い、続いて「数値」キーの入力データを受け取ると、その入力データに対応する商品番号の商品情報をＰＬＵファイル１３２より読出し、表示入力部２に商品情報を表示する（ＳＴ１）。
【００１６】
続いてＣＰＵ１１は、ラベル発行処理を実行するか個体識別番号登録処理を実行するかを判断する（ＳＴ２）。すなわち、ＣＰＵ１１はキーボード部４の「発行」キー４ｂの入力を受付けたか、又は、バーコードスキャナ７から個体識別番号登録処理を開始するための入力を検出したかを判断する。なお、個体識別番号登録処理を開始するための入力か否かの判断は、バーコードスキャナ７により読取ったバーコードデータに基づいて行う。例えば、バーコードデータの左側の所定数の桁（例えば左２桁）が示すデータが個体識別番号登録処理を開始すること示すデータとしてフラッシュＲＯＭ１２に予め設定されていたものと一致した場合に個体識別番号を登録する処理を開始するための入力だと判断する。
【００１７】
個体識別番号登録処理を開始するための入力があったと判断すると、ＣＰＵ１１は、続いて、バーコードスキャナ７により読取ったバーコードデータから、個体識別番号（例えば、左３桁目から１２桁目の１０桁のデータ）を読取り（ＳＴ３）、この読取った個体識別番号がＲＡＭ１３の個体識別番号テーブル１３１内に記憶されている個体識別番号と同一のものが存在するかをサーチし（ＳＴ４）、そのサーチ結果に基づいて個体識別番号テーブル１３１内に記憶されている個体識別番号に読取った個体識別番号が存在するか否かを判断する（ＳＴ５）。
【００１８】
読取った個体識別番号が個体識別番号テーブル１３１内に存在しないと判断すると、続いてＣＰＵ１１は、個体識別番号テーブル１３１内に記憶されている個体識別番号がＦＵＬＬとなっているか否かを判断する（ＳＴ６）。ＣＰＵ１１は、個体識別番号テーブル１３１内の個体識別番号がＦＵＬＬとなっていないと判断すると個体識別番号テーブル１３１の空いているエリアに読取った個体識別番号を記憶し（ＳＴ７）、個体識別番号テーブル１３１内の個体識別番号がＦＵＬＬとなっていると判断すると表示入力部２に個体識別番号テーブル１３１を表示する（ＳＴ８）。そして、ＣＰＵ１１は、入替処理を実行するか否かを判断する（ＳＴ９）。この判断は、例えば表示入力部２のタッチパネルに表示された入替処理の実行を指示するキーの入力があったか否かに基づいて行われる。ＣＰＵ１１は入替処理の実行が指示されたと判断すると、表示入力部２のタッチパネルから入力を受付けて個体識別番号テーブル１３１内に記憶されているいずれかの個体識別番号と読取った個体識別番号とを入れ替える入替処理を行う（ＳＴ１０）。この入替処理は、例えばオペレータにより個体識別番号テーブル１３１内の個体識別番号が選択されると、その選択された個体識別番号を消去し、その消去されたエリアに読取った個体識別番号を記憶する。また、この入替処理において、個体識別番号テーブル１３１内の個体識別番号を消去するときは、ＰＬＵファイル１３２内に消去する個体識別番号と対応するテーブル番号が他の商品のテーブル番号割付部に割付けられていれば、そのテーブル番号を消去する処理も併せて行う。
【００１９】
ステップＳＴ５において個体識別番号テーブル１３１内に読取った個体識別番号が存在すると判断したとき、ステップＳＴ７において新規に個体識別番号テーブル１３１に個体識別番号を登録したとき、ステップＳＴ１０において読取った個体識別番号の入替処理を行ったときのいずれかの処理が行われると、ＣＰＵ１１は、読取った個体識別番号に対応する個体識別番号テーブル１３１のテーブル番号が、読出している商品のＰＬＵファイル１３２のテーブル番号割付部に１３２ａに割付けられているか否かを判断する（ＳＴ１１）。この判断でＮＯと判断するとＣＰＵ１１は、読出している商品情報におけるＰＬＵファイル１３２のテーブル番号割付部１３２ａがＦＵＬＬとなっているか（テーブル番号割付部１３２ａの「割付１」〜「割付３」のエリアに全てテーブル番号が割付けられているか）否かを判断する（ＳＴ１２）。ＦＵＬＬとなっていないと判断すると、ＣＰＵ１１はテーブル番号割付部１３２ａの「割付１」〜「割付３」の空いているエリアにテーブル番号を割付ける（ＳＴ１３）。ＦＵＬＬとなっていると判断すると、ＣＰＵ１１は表示入力部２にテーブル番号割付部１３２ａを表示する（ＳＴ１４）。そして、ＣＰＵ１１は、入替処理を実行するか否かを判断する（ＳＴ１５）。この判断は、例えば表示入力部２のタッチパネルに表示された入替処理の実行を指示するキーの入力があったか否かに基づいて行われる。ＣＰＵ１１は入替処理の実行が指示されたと判断すると、表示入力部２のタッチパネルから入力を受付けてテーブル番号割付部１３２ａの「割付１」〜「割付３」のエリアに割付けられたいずれかのテーブル番号と、読取った個体識別番号を登録した個体識別番号テーブル１３１内のテーブル番号とを入れ替える入替処理を実行する（ＳＴ１６）。この入替処理は、例えばオペレータによりテーブル番号割付部１３２ａの「割付１」〜「割付３」のエリアに記憶されたテーブル番号が選択されると、その選択されたテーブル番号を消去し、その消去されたエリアに読取った個体識別番号を登録した個体識別番号テーブル内のテーブル番号が割付けられることにより行われる。
【００２０】
ステップＳＴ９において入替実行を行わないと判断したとき、ステップＳＴ１１においてテーブル番号割付部１３２ａの「割付１」〜「割付３」のエリアに同一のテーブル番号があると判断したとき、ステップＳＴ１３においてテーブル番号を割付けたとき、ステップＳＴ１５で入替処理を実行しないと判断したとき、ステップＳＴ１６で入替処理を行ったときのいずれかの処理を行うと、ＣＰＵ１１は、バーコードスキャナ７から新たに個体識別番号の入力を開始するためのデータを受け取ると、登録処理は終了しないと判断してステップＳＴ３の処理へ戻った後上述した個体識別番号登録処理を実行し、表示入力部２のタッチパネルから他のキーが入力されたことを検出すると、個体識別番号を登録する処理は終了したと判断する（ＳＴ１７）。このような個体識別番号を登録する処理をオペレータは必要な商品（個体識別番号が付与されたものを原材料として生産される商品）に対して複数行うことにより、個体識別番号はＰＬＵファイル１３１に記憶した商品情報の一または複数の商品情報と関連付けることができる。
【００２１】
一方、ステップＳＴ２において、ＣＰＵ１１は、キーボード部４の「発行」キー４ｂの入力を受付けた場合には、ラベルを発行する処理を行う（ＳＴ１８）。このラベルを発行する処理は、例えば、「発行」キー４ｂの入力を受付ける前にロードセルユニット６ののせ皿に載置された商品の計量データを秤インタフェース１４を介して取り込み、読出されている商品情報のＰＬＵファイル１３２に設定された単価から商品価格を算出しておき、「発行」キー４ｂの入力を受付けて設定された印字フォーマットに基づいて商品価格，その他ＰＬＵファイル１３２に設定された情報等をラベルに印字し、ラベル発行口５からラベルを発行する。このラベルを発行する印字フォーマットが個体識別番号を印字する印字フォーマットの設定となっており、テーブル番号割付部１３２ａにテーブル番号が割付けられている場合には、ラベルの所定位置に個体識別番号が他の商品情報とともに印字される。
【００２２】
続いて、このように構成されたラベル発行機１により個体識別番号を登録してラベルを印字発行する際の作用について説明する。例えば「黒毛和牛のすき焼き用」を生産するための肉の部位（塊）の包装には、どの牛（個体）のものであるかを識別するための個体識別番号およびそのバーコードデータが表記されたシールが貼られている。この肉の部位から「黒毛和牛すき焼き用」のパックを生産する場合には、オペレータは先ず、「品番」キー４ｉを入力すると、表示入力部２に品番を入力するための表示がされ、「黒毛和牛すき焼き用」の商品番号を「０」〜「９」の数値キーにより入力する。すると、ラベル発行機１の表示入力部２には、「黒毛和牛すき焼き用」の商品情報が表示される。この商品情報が表示されると、オペレータは、肉の部位（塊）に貼られたシールのバーコードをバーコードスキャナ７で走査する。
【００２３】
ラベル発行機１は、バーコードスキャナ７で読取ったバーコードデータの端部のデータにより個体識別番号を示すデータであることを認識すると、読取ったバーコードデータから個体識別番号を取得し、その個体識別番号が個体識別番号テーブル１３１内に登録されていない場合には空いているエリアに記憶し、空いていない場合には個体識別番号テーブル１３１を表示入力部２に表示する。そして、オペレータにより個体識別番号テーブル１３１に登録しておく必要のなくなった個体識別番号との入替えが行われる。そして、「黒毛和牛すき焼き用」の商品番号に対応するＰＬＵファイル１３２のテーブル番号割付部１３２ａにその個体識別番号が登録されたテーブル番号が割付けられていない場合に、テーブル番号割付部１３２ａの「割付１」〜「割付３」のエリアに空きがあるとその空いているエリアに記憶し、空きがないとテーブル番号割付部１３２ａを表示入力部２に表示する。そして、オペレータにより割付ける必要がなくなったテーブル番号との入替えが行われる。
【００２４】
このように個体識別番号の登録されている商品のラベルを発行する場合について説明する。オペレータは先ず上述したように「黒毛和牛すき焼き用」の商品情報を呼出す。図７はこのようにして呼出された「黒毛和牛すき焼き用」の商品情報を表示入力部２に表示したときの表示例を示す図である。図中略中央部に個体識別番号を表示するエリアが３つ設けられており、その１つのエリアに個体識別番号として「１２３４５６７８９５」が登録されていることが表示されている。そして、オペレータは、所定量の黒毛和牛すき焼き用の牛肉が内包されたパックをロードセルユニット６ののせ皿に載置し、計量後に「発行」キー４ｂを入力する。ラベル発行機１は、第１プリンタエンジン２１を制御して第１プリンタユニット２０を動作させ、ロードセルユニット６から秤インタフェース１４を介して取込んだ重量データ及び呼出しているＰＬＵファイル１３２の商品情報に基づいて設定された印字フォーマットで商品名，重量，値段などとともに個体識別番号を印字し、ラベル発行口５からたラベル８を発行する。図８はこのように発行されたラベル８の表面を示す図である。ラベル８の商品名「黒毛和牛すき焼き用」の印字の下側に「個体識別番号１２３４５６７８９４５」が印字されている。オペレータは、この発行されたラベル８をのせ皿に載置したパックに貼り付ける。そして、ラベル８が貼られたパックを陳列棚等に陳列する。
【００２５】
パック入りの「黒毛和牛すき焼き用」を購入した顧客は、そのパックのラベル８に表記された個体識別番号を、例えば、その商品を購入した店舗が開設しているホームページ等で確認することにより、購入した近江牛は、どこの牧場のどの牛から生産されたものであるかという商品の出所を確認することができる。
【００２６】
したがって、この実施の形態のラベル発行機１によると、オペレータは、商品の出所を示す個体識別番号の登録を、先ず商品の商品情報を呼出し、その商品の原材料の包装等に付されるバーコードをバーコードスキャナにより読取るという極めた簡単な操作により、個体識別番号を個体識別番号テーブル１３１に登録し、また、個体識別番号を登録した個体識別番号テーブル１３１のテーブル番号をＰＬＵファイルの１３２のテーブル番号割付部１３２ａに割付けておくことにより、個体識別番号テーブル１３１に登録される個体識別番号とＰＬＵファイル１３２に記憶される商品情報とを関連付けておくことができる。したがって、識別情報を簡易かつ迅速に登録するとともに識別情報の入力間違い起こすことなく登録することができる。
【００２７】
なお、この実施の形態では、商品の出所を識別するための識別情報として牛に固有に付される個体識別番号をラベル発行機１に登録する場合で説明したが、これに限られるものではない。また、識別情報として所定数量の生産ロットを示す情報を登録するようにしても良い。
【００２８】
また、商品の出所を示す識別情報を読取る読取手段は、バーコードをバーコードスキャナ７で読取ることとしているが、識別情報が記憶されたＩＣ（インテグレイテッド・サーキット）チップなどが埋設された無線タグから、無線タグリーダにより識別情報を読取るようにしても良い。
【００２９】
さらに、個体識別番号テーブル１３１のテーブル番号をＰＬＵファイル１３２のテーブル番号割付部１３２ａに割付けることにより、個体識別番号テーブル１３１とＰＬＵファイル１３２との関連付けを行っているが、個体識別番号テーブル１３１にＰＬＵファイル１３２の商品番号を割付けることにより個体識別番号テーブル１３１とＰＬＵファイル１３２との関連付けを行うようにしても良い。このように関連付けを行うことにより、上記実施の形態より、さらに、ＰＬＵファイル１３２のファイル容量を小さくすることができる。
【００３０】
なお、この発明は、上記実施の形態そのままに限定されるものではなく、実施段階ではその要旨を逸脱しない範囲で構成要素を変形して具体化でき、また、上記実施の形態に開示されている複数の構成要素の適宜な組み合わせにより種々の発明を変形できるものである。
【図面の簡単な説明】
【００３１】
【図１】本発明の実施の形態におけるラベル発行機の外観を示す斜視図。
【図２】同実施の形態におけるキーボードのキーを示す図。
【図３】同実施の形態におけるラベル発行機の要部構成を示すハードウェアブロック図。
【図４】同実施の形態における個体識別番号テーブルを示す図。
【図５】同実施の形態におけるＰＬＵファイルを示す図。
【図６】同実施の形態における個体識別番号の登録処理を示すフローチャート。
【図７】同実施の形態における個体識別番号の登録処理を行う画面表示の例を示す図。
【図８】同実施の形態における個体識別番号を印字したラベルの一例を示す図。
【符号の説明】
【００３２】
１…ラベル発行機，２…表示入力部，４…キーボード部，６…ロードセルユニット，７…バーコードスキャナ，８…ラベル，１１…ＣＰＵ，１２…フラッシュＲＯＭ，１３…ＲＡＭ，１３１…個体識別番号テーブル，１３２…ＰＬＵファイル，１３２ａ…テーブル番号割付部
【図１】
2005111850.tif 000003
【図２】
2005111850.tif 000004
【図３】
2005111850.tif 000005
【図４】
2005111850.tif 000006
【図５】
2005111850.tif 000007
【図６】
2005111850.tif 000008
【図７】
2005111850.tif 000009
【図８】
2005111850.tif 000010